(57)【要約】      （修正有）【課題】  小型化を図ることができる液晶表示装置等の表示装置を提供する。【解決手段】  液晶表示部２の側方に駆動素子２１のゲートライン１８に接続される第１〜第４ゲート用ドライバーＩＣ（Ｇ１〜Ｇ４）が配置される。第１〜第４ゲート用ドライバーＩＣ（Ｇ１〜Ｇ４）の側方には信号入力されるＦＰＣ５が配置される。第１、第２ゲート用ドライバーＩＣ（Ｇ１、Ｇ２）間で分岐する第１バスライン１５により第１、第２ゲート用ドライバーＩＣ（Ｇ１、Ｇ２）のゲートＬｏｗ端子１１ｂ、１１ａがＦＰＣ５に接続される。第３、第４ゲート用ドライバーＩＣ（Ｇ３、Ｇ４）間で分岐する第２バスライン１６により第３、第４ゲート用ドライバーＩＣ（Ｇ３、Ｇ４）のゲートＬｏｗ端子１１ａ、１１ｂがＦＰＣ５に接続される。【選択図】      図３
2005301239.tif 000002
【特許請求の範囲】
【請求項１】
駆動素子を有する画素が基板上にマトリクス状に配列された表示部と、前記基板上の前記表示部の側方に一列に並んで順に実装して前記駆動素子を駆動する第１〜第４ドライバーＩＣと、前記基板に接続して第１〜第４ドライバーＩＣに供給する信号を入力する配線部品とを備えた表示装置において、
第１、第２ドライバーＩＣは互いに対向する位置に同じ信号を入力可能な第１信号入力端子を有するとともに、第３、第４ドライバーＩＣは互いに対向する位置に同じ信号を入力可能な第１信号入力端子を有し、第１、第２ドライバーＩＣの第１信号入力端子を接続するとともに第１、第２ドライバーＩＣの間で分岐して前記配線部品に接続される第１バスラインと、第３、第４ドライバーＩＣの第１信号入力端子を接続するとともに第３、第４ドライバーＩＣの間で分岐して前記配線部品に接続される第２バスラインとを前記基板に形成したことを特徴とする表示装置。
【請求項２】
第１〜第４ドライバーＩＣは第１〜第４ドライバーＩＣが並ぶ方向の両端に第１信号入力端子が設けられることを特徴とする請求項１に記載の表示装置。
【請求項３】
第１バスラインの分岐点から第１、第２ドライバーＩＣの各第１信号入力端子までの距離を同じにするとともに、第２バスラインの分岐点から第３、第４ドライバーＩＣの各第１信号入力端子までの距離を同じにしたことを特徴とする請求項１または請求項２に記載の表示装置。
【請求項４】
第２、第３ドライバーＩＣそれぞれとの距離が等間隔となる中心点を通り第１〜第４ドライバーＩＣが並ぶ方向に垂直な中心線に対して、第１、第２ドライバーＩＣに接続される配線の配置と第３、第４ドライバーＩＣに接続される配線の配置とを対称にしたことを特徴とする請求項３に記載の表示装置。
【請求項５】
第１〜第４ドライバーＩＣは第１信号入力端子と異なる信号が入力される第２、第３信号入力端子を有し、
第２、第３ドライバーＩＣの第２、第３信号入力端子が前記配線部品に接続され、
第１、第２ドライバーＩＣの第２信号入力端子が第１、第２ドライバーＩＣの下方及び第１、第２ドライバーＩＣの間を通る配線により接続され、
第１、第２ドライバーＩＣの第３信号入力端子が第１、第２ドライバーＩＣの下方及び第１、第２ドライバーＩＣの間を通る配線により接続され、
第３、第４ドライバーＩＣの第２信号入力端子が第３、第４ドライバーＩＣの下方及び第３、第４ドライバーＩＣの間を通る配線により接続され、
第３、第４ドライバーＩＣの第３信号入力端子が第３、第４ドライバーＩＣの下方及び第３、第４ドライバーＩＣの間を通る配線により接続されることを特徴とする請求項１〜請求項４のいずれかに記載の表示装置。
【請求項６】
平面視において、第１、第２バスラインは第１〜第４ドライバーＩＣの並ぶ方向に平行な１本の平行部を第１〜第４ドライバーＩＣと前記配線部品との間に一直線上に有するとともに、第２信号入力端子と前記配線部品とを接続する配線と、第３信号入力端子と前記配線部品とを接続する配線と、の少なくとも一方が第１〜第４ドライバーＩＣの並ぶ方向に平行な部分を持たないことを特徴とする請求項５に記載の表示装置。
【請求項７】
第１〜第４ドライバーＩＣは前記駆動素子のゲートに信号を供給することを特徴とする請求項１〜請求項６のいずれかに記載の表示装置。
【請求項８】
第１信号入力端子は前記駆動素子のゲートに供給するＬｏｗレベルの入力端子から成ることを特徴とする請求項７に記載の表示装置。
【請求項９】
前記基板がガラスから成り、第１〜第４ドライバーＩＣが前記基板にフェイスダウンボンディング接続されることを特徴とする請求項１〜請求項８のいずれかに記載の表示装置。
【請求項１０】
前記表示部が液晶セルから成ることを特徴とする請求項１〜請求項９のいずれかに記載の表示装置。
【請求項１１】
駆動素子を有する画素がマトリクス状に配列された表示素子を配置する表示素子領域と、前記表示素子領域の側方に一列に並んで前記駆動素子を駆動する第１〜第４ドライバーＩＣを配置する第１〜第４ドライバー領域と、第１〜第４ドライバーＩＣに供給する信号を入力する配線部品を接続する配線部品領域とを備えた表示装置用ガラス基板において、
第１、第２ドライバー領域は対向する位置に第１信号入力端子を有するとともに、第３、第４ドライバー領域は対向する位置に第１信号入力端子を有し、
第１、第２ドライバー領域の第１信号入力端子を接続するとともに第１、第２ドライバー領域の間で分岐して前記配線部品領域に接続される第１バスラインと、
第３、第４ドライバー領域の第１信号入力端子を接続するとともに第３、第４ドライバー領域の間で分岐して前記配線部品領域に接続される第２バスラインとを形成したことを特徴とする表示装置用ガラス基板。
【請求項１２】
第１バスラインの分岐点から第１、第２ドライバー領域の各第１信号入力端子までの距離を同じにするとともに、第２バスラインの分岐点から第３、第４ドライバー領域の各第１信号入力端子までの距離を同じにしたことを特徴とする請求項１１に記載の表示装置用ガラス基板。
【請求項１３】
第２、第３ドライバー領域それぞれとの距離が等間隔となる中心点を通り第１〜第４ドライバー領域が並ぶ方向に垂直な中心線に対して、第１、第２ドライバー領域に接続される配線の配置と第３、第４ドライバー領域に接続される配線の配置とを対称にしたことを特徴とする請求項１２に記載の表示装置用ガラス基板。
【請求項１４】
第１〜第４ドライバー領域は第２、第３信号入力端子を有し、
第２、第３ドライバー領域の第２、第３信号入力端子が前記配線部品領域に接続され、
第１、第２ドライバー領域の第２信号入力端子が第１、第２ドライバー領域上及び第１、第２ドライバー領域の間を通る配線により接続され、
第１、第２ドライバー領域の第３信号入力端子が第１、第２ドライバー領域上及び第１、第２ドライバー領域の間を通る配線により接続され、
第３、第４ドライバー領域の第２信号入力端子が第３、第４ドライバー領域上及び第３、第４ドライバー領域の間を通る配線により接続され、
第３、第４ドライバー領域の第３信号入力端子が第３、第４ドライバー領域上及び第３、第４ドライバー領域の間を通る配線により接続されることを特徴とする請求項１１〜請求項１３のいずれかに記載の表示装置用ガラス基板。
【請求項１５】
平面視において、第１、第２バスラインは第１〜第４ドライバー領域の並ぶ方向に平行な１本の平行部を第１〜第４ドライバー領域と前記配線部品領域との間に一直線上に有するとともに、第２信号入力端子と前記配線部品領域とを接続する配線と、第３信号入力端子と前記配線部品領域とを接続する配線と、の少なくとも一方が第１〜第４ドライバー領域の並ぶ方向に平行な部分を持たないことを特徴とする請求項１４に記載の表示装置用ガラス基板。
【発明の詳細な説明】
【技術分野】
【０００１】
本発明は、表示素子の画素毎に設けられた駆動素子を駆動するドライバーＩＣを有する液晶表示装置等の表示装置に関する。また本発明は、表示素子及びドライバーＩＣが取り付けられる表示装置用ガラス基板に関する。
【背景技術】
【０００２】
従来の液晶表示装置は特許文献１に開示されている。この液晶表示装置はガラス基板上に形成される液晶表示部とドライバーＩＣとを有している。液晶表示部は対向するガラス基板に形成された対向電極を有する画素がマトリクス状に配列され、各画素にＴＦＴから成る駆動素子が設けられている。各駆動素子にはドライバーＩＣから信号が供給される。
【０００３】
図４は液晶表示装置の配線状態を示す平面図である。液晶表示装置１は液晶表示部２の一辺に対向して一列に並べて配置された第１〜第４ゲート用ドライバーＩＣ（Ｇ１〜Ｇ４）を有している。液晶表示部２の高精細化に伴って４つのドライバーＩＣが用いられている。第１〜第４ゲート用ドライバーＩＣ（Ｇ１〜Ｇ４）はガラス基板３にフェイスダウンボンディング接続され、ＣＯＧ（Chip On Glass）方式になっている。第１〜第４ゲート用ドライバーＩＣ（Ｇ１〜Ｇ４）は液晶表示部２の各駆動素子のゲートに供給するＨｉレベルまたはＬｏｗレベルの信号を出力する。
【０００４】
第１〜第４ゲート用ドライバーＩＣ（Ｇ１〜Ｇ４）が対向する液晶表示部２の一辺に隣接した辺に対向して各駆動素子のソースに入力される映像信号を出力する複数のソース用ドライバーＩＣ（Ｓ１〜Ｓｎ）が並べて配置されている。
【０００５】
第１〜第４ゲート用ドライバーＩＣ（Ｇ１〜Ｇ４）は駆動素子のゲートに供給するＨｉレベルの信号の入力端子（以下、「ゲートＨｉ端子」という）１０ａ、１０ｂ、駆動素子のゲートに供給するＬｏｗレベルの信号の入力端子（以下、「ゲートＬｏｗ端子」という）１１ａ、１１ｂ、第１〜第４ゲート用ドライバーＩＣ（Ｇ１〜Ｇ４）の駆動電源の入力端子（以下、「ロジック端子」という）１２ａ、１２ｂ、走査のタイミングの信号が入力される信号端子１３を有している。
【０００６】
各端子は第１〜第４ゲート用ドライバーＩＣ（Ｇ１〜Ｇ４）が並ぶ方向（以下、「列方向」という）に垂直な中心線に対して対称に配置されている。これにより、第１〜第４ゲート用ドライバーＩＣ（Ｇ１〜Ｇ４）の配置される場所に応じて接続位置を変更することができる。このため、第１〜第４ゲート用ドライバーＩＣ（Ｇ１〜Ｇ４）は共通のパッケージを用いることができるようになっている。
【０００７】
ガラス基板３には、第１〜第４ゲート用ドライバーＩＣ（Ｇ１〜Ｇ４）の各端子からガラス基板３の端部に延びる複数の配線１４が形成されている。各配線１４はＦＰＣ５の所定位置に接続され、ＦＰＣ５には回路基板（不図示）等が接続される。これにより、第１〜第４ゲート用ドライバーＩＣ（Ｇ１〜Ｇ４）の各端子に所定の信号が入力される。
【０００８】
また、第１〜第４ゲート用ドライバーＩＣ（Ｇ１〜Ｇ４）のゲートＬｏｗ端子１１ａ、１１ｂに接続される配線１４ａは列方向に対して略垂直にＦＰＣ５の方向に延びて形成される。これにより、各配線１４ａは最短で同じ長さに形成され、インピーダンスを小さくするとともにインピーダンスによる電圧降下が等しくなっている。
【０００９】
他の端子についても同様に、同じ種類の信号が入力される各端子に接続される配線１４はＦＰＣ５までの距離が短く同じ長さに形成されている。また、ソース側のソース用ドライバーＩＣ（Ｓ１〜Ｓｎ）の配線についても同様に構成されている。これにより、配線１４の電圧降下を小さくするとともに配線１４により入力される電圧を均一にして視認性のよい液晶表示装置１が得られるようになっている。
【特許文献１】特開平５−１８１１５３号公報
【発明の開示】
【発明が解決しようとする課題】
【００１０】
しかしながら、上記従来の液晶表示装置１によると、各端子から列方向に対して略垂直に配線１４が延びるためＦＰＣ５の列方向の幅Ａが大きくなる。これにより、液晶表示装置１が大型になり、ＦＰＣ５の列方向側方のスペースを有効に利用することができないため液晶表示装置１を搭載する機器が大型になる問題があった。
【００１１】
本発明は、小型化を図ることのできる液晶表示装置を提供することを目的とする。
【課題を解決するための手段】
【００１２】
上記目的を達成するために本発明は、  駆動素子を有する画素が基板上にマトリクス状に配列された表示部と、前記基板上の前記表示部の側方に一列に並んで順に実装して前記駆動素子を駆動する第１〜第４ドライバーＩＣと、前記基板に接続して第１〜第４ドライバーＩＣに供給する信号を入力する配線部品とを備えた表示装置において、
第１、第２ドライバーＩＣは互いに対向する位置に同じ信号を入力可能な第１信号入力端子を有するとともに、第３、第４ドライバーＩＣは互いに対向する位置に同じ信号を入力可能な第１信号入力端子を有し、第１、第２ドライバーＩＣの第１信号入力端子を接続するとともに第１、第２ドライバーＩＣの間で分岐して前記配線部品に接続される第１バスラインと、第３、第４ドライバーＩＣの第１信号入力端子を接続するとともに第３、第４ドライバーＩＣの間で分岐して前記配線部品に接続される第２バスラインとを前記基板に形成したことを特徴としている。
【００１３】
この構成によると、第１〜第４ドライバーＩＣは両端に例えばゲートＬｏｗ端子から成る第１信号入力端子が設けられる。第１、第２ドライバーＩＣの対向する第１信号入力端子は基板に形成された第１バスラインで接続される。第１バスラインは例えばＴ字型に分岐し、ＦＰＣ等から成る配線部品に接続される。また、第３、第４ドライバーＩＣの対向する第１信号入力端子は基板に形成された第２バスラインで接続される。第２バスラインは例えばＴ字型に分岐し、配線部品に接続される。尚、配線部品は、半田付けやワイヤーボンディング等により基板に固着されるＦＰＣ、リード線、ワイヤー等から成る。
【００１４】
また本発明は、上記構成の表示装置において、第１〜第４ドライバーＩＣは第１〜第４ドライバーＩＣが並ぶ方向の両端に第１信号入力端子が設けられることを特徴としている。
【００１５】
また本発明は、上記構成の表示装置において、第１バスラインの分岐点から第１、第２ドライバーＩＣの各第１信号入力端子までの距離を同じにするとともに、第２バスラインの分岐点から第３、第４ドライバーＩＣの各第１信号入力端子までの距離を同じにしたことを特徴としている。
【００１６】
この構成によると、第１バスラインの配線部品から第１ドライバーＩＣの第１信号入力端子までの距離が、配線部品から第２ドライバーＩＣの第１信号入力端子までの距離と等しくなる。また、第２バスラインの配線部品から第３ドライバーＩＣの第１信号入力端子までの距離が、配線部品から第４ドライバーＩＣの第１信号入力端子までの距離と等しくなる。
【００１７】
また本発明は、上記構成の表示装置において、第２、第３ドライバーＩＣそれぞれとの距離が等間隔となる中心点を通り第１〜第４ドライバーＩＣが並ぶ方向に垂直な中心線に対して、第１、第２ドライバーＩＣに接続される配線の配置と第３、第４ドライバーＩＣに接続される配線の配置とを対称にしたことを特徴としている。この構成によると、第１バスラインの配線部品から第１、第２ドライバーＩＣの第１信号入力端子までの距離が、第２バスラインの配線部品から第３、第４ドライバーＩＣの第１信号入力端子までの距離と等しくなる。
【００１８】
また本発明は、上記構成の表示装置において、
第１〜第４ドライバーＩＣは第１信号入力端子と異なる信号が入力される第２、第３信号入力端子を有し、
第２、第３ドライバーＩＣの第２、第３信号入力端子が前記配線部品に接続され、
第１、第２ドライバーＩＣの第２信号入力端子が第１、第２ドライバーＩＣの下方及び第１、第２ドライバーＩＣの間を通る配線により接続され、
第１、第２ドライバーＩＣの第３信号入力端子が第１、第２ドライバーＩＣの下方及び第１、第２ドライバーＩＣの間を通る配線により接続され、
第３、第４ドライバーＩＣの第２信号入力端子が第３、第４ドライバーＩＣの下方及び第３、第４ドライバーＩＣの間を通る配線により接続され、
第３、第４ドライバーＩＣの第３信号入力端子が第３、第４ドライバーＩＣの下方及び第３、第４ドライバーＩＣの間を通る配線により接続されることを特徴としている。
【００１９】
この構成によると、例えば、信号端子及びロジック端子等から成る第２、第３信号入力端子が第１信号入力端子と一直線上に設けられる。第２、第３ドライバーＩＣの第２、第３信号入力端子は配線部品に接続され、第１、第４ドライバーＩＣの第２、第３信号入力端子は第２、第３ドライバーＩＣの第２、第３信号入力端子を介して配線部品と接続される。
【００２０】
また本発明は、上記構成の表示装置において、平面視において、第１、第２バスラインは第１〜第４ドライバーＩＣの並ぶ方向に平行な１本の平行部を第１〜第４ドライバーＩＣと前記配線部品との間に一直線上に有するとともに、第２信号入力端子と前記配線部品とを接続する配線と、第３信号入力端子と前記配線部品とを接続する配線と、の少なくとも一方が第１〜第４ドライバーＩＣの並ぶ方向に平行な部分を持たないことを特徴としている。
【００２１】
この構成によると、第１〜第４ドライバーＩＣと配線部品との間を第１〜第４ドライバーＩＣの並ぶ方向に延びて第１、第２バスラインの平行部が形成され、第２信号入力端子と配線部品とを接続する配線若しくは第３信号入力端子と配線部品とを接続する配線は第１〜第４ドライバーＩＣの並ぶ方向に対して垂直または傾斜している。
【００２２】
また本発明は、上記構成の表示装置において、第１〜第４ドライバーＩＣは前記駆動素子のゲートに信号を供給することを特徴としている。この構成によると、ソースに映像信号を供給する場合よりも配線を高いインピーダンスにすることができる。
【００２３】
また本発明は、上記構成の表示装置において、第１信号入力端子は前記駆動素子のゲートに供給するＬｏｗレベルの入力端子から成ることを特徴としている。
【００２４】
また本発明は、上記構成の表示装置において、前記基板がガラスから成り、第１〜第４ドライバーＩＣが前記基板にフェイスダウンボンディング接続されることを特徴としている。この構成によると、液晶表示装置はＣＯＧ方式で形成される。
【００２５】
また本発明は、上記構成の表示装置において、前記表示部が液晶セルから成ることを特徴としている。
【００２６】
また本発明は、駆動素子を有する画素がマトリクス状に配列された表示素子を配置する表示素子領域と、前記表示素子領域の側方に一列に並んで前記駆動素子を駆動する第１〜第４ドライバーＩＣを配置する第１〜第４ドライバー領域と、第１〜第４ドライバーＩＣに供給する信号を入力する配線部品を接続する配線部品領域とを備えた表示装置用ガラス基板において、
第１、第２ドライバー領域は対向する位置に第１信号入力端子を有するとともに、第３、第４ドライバー領域は対向する位置に第１信号入力端子を有し、
第１、第２ドライバー領域の第１信号入力端子を接続するとともに第１、第２ドライバー領域の間で分岐して前記配線部品領域に接続される第１バスラインと、
第３、第４ドライバー領域の第１信号入力端子を接続するとともに第３、第４ドライバー領域の間で分岐して前記配線部品領域に接続される第２バスラインとを形成したことを特徴としている。
【００２７】
また本発明は、上記構成の表示装置用ガラス基板において、第１バスラインの分岐点から第１、第２ドライバー領域の各第１信号入力端子までの距離を同じにするとともに、第２バスラインの分岐点から第３、第４ドライバー領域の各第１信号入力端子までの距離を同じにしたことを特徴としている。
【００２８】
また本発明は、上記構成の表示装置用ガラス基板において、第２、第３ドライバー領域それぞれとの距離が等間隔となる中心点を通り第１〜第４ドライバー領域が並ぶ方向に垂直な中心線に対して、第１、第２ドライバー領域に接続される配線の配置と第３、第４ドライバー領域に接続される配線の配置とを対称にしたことを特徴としている。
【００２９】
また本発明は、上記構成の表示装置用ガラス基板において、第１〜第４ドライバー領域は第２、第３信号入力端子を有し、
第２、第３ドライバー領域の第２、第３信号入力端子が前記配線部品領域に接続され、
第１、第２ドライバー領域の第２信号入力端子が第１、第２ドライバー領域上及び第１、第２ドライバー領域の間を通る配線により接続され、
第１、第２ドライバー領域の第３信号入力端子が第１、第２ドライバー領域上及び第１、第２ドライバー領域の間を通る配線により接続され、
第３、第４ドライバー領域の第２信号入力端子が第３、第４ドライバー領域上及び第３、第４ドライバー領域の間を通る配線により接続され、
第３、第４ドライバー領域の第３信号入力端子が第３、第４ドライバー領域上及び第３、第４ドライバー領域の間を通る配線により接続されることを特徴としている。
【００３０】
また本発明は、上記構成の表示装置用ガラス基板において、平面視において、第１、第２バスラインは第１〜第４ドライバー領域の並ぶ方向に平行な１本の平行部を第１〜第４ドライバー領域と前記配線部品領域との間に一直線上に有するとともに、第２信号入力端子と前記配線部品領域とを接続する配線と、第３信号入力端子と前記配線部品領域とを接続する配線と、の少なくとも一方が第１〜第４ドライバー領域の並ぶ方向に平行な部分を持たないことを特徴としている。
【発明の効果】
【００３１】
本発明によると、第１、第２ドライバーＩＣを第１バスラインによって配線部品と接続するとともに第３、第４ドライバーＩＣを第２バスラインによって配線部品と接続するので、配線部品の幅を小さくして表示装置を小型化することができる。従って、配線部品の側方のスペースを有効利用して表示装置を搭載する機器の小型化を図ることができる。
【００３２】
また本発明によると、第１〜第４ドライバーＩＣは第１〜第４ドライバーＩＣが並ぶ方向の両端に第１信号入力端子が設けられるので、第１〜第４ドライバーＩＣの共通化を図ることができる。
【００３３】
また本発明によると、第１バスラインの分岐点から第１、第２ドライバーＩＣの各第１信号入力端子までの距離を同じにしたので、配線部品から第１ドライバーＩＣの第１信号入力端子までの電圧降下が配線部品から第２ドライバーＩＣの第１信号入力端子までの電圧降下と等しくなる。従って、第１、第２ドライバーＩＣの第１信号入力端子の入力電圧のバラツキを小さくすることができる。また、第２バスラインの分岐点から第３、第４ドライバーＩＣの各第１信号入力端子までの距離を同じにしたので、配線部品から第３ドライバーＩＣの第１信号入力端子までの電圧降下が配線部品から第４ドライバーＩＣの第１信号入力端子までの電圧降下と等しくなる。従って、第３、第４ドライバーＩＣの第１信号入力端子の入力電圧のバラツキを小さくすることができる。
【００３４】
また本発明によると、第２、第３ドライバーＩＣ間の中心線に対して、第１、第２ドライバーＩＣの配線の配置と第３、第４間ドライバーＩＣの配線の配置とを対称にしたので、第１〜第４ドライバーＩＣの第１信号入力端子と配線部品との間の電圧降下が等しくなり、入力電圧のバラツキをより小さくすることができる。
【００３５】
本発明によると、第２、第３ドライバーＩＣの第２、第３信号入力端子は配線部品に接続され、第１、第４ドライバーＩＣの第２、第３信号入力端子は第２、第３ドライバーＩＣの第２、第３信号入力端子を介して配線部品に接続されるので、配線部品に接続される配線を削減して配線部品の幅を狭くすることができ、液晶表示装置のより小型化を図ることができる。
【００３６】
また本発明によると、平面視において第１、第２バスラインは第１〜第４ドライバーＩＣの並ぶ方向に平行な１本の平行部を第１〜第４ドライバーＩＣと配線部品との間に一直線上に有するとともに、第２信号入力端子または第３信号入力端子と配線部品とを接続する配線が第１〜第４ドライバーＩＣの並ぶ方向に平行な部分を持たないので、第１〜第４ドライバーＩＣと配線部品との間を狭くすることができ、表示装置の小型化をより図ることができる。
【００３７】
また本発明によると、第１〜第４ドライバーＩＣは駆動素子のゲートに信号を供給するので、第１、第２バスラインのインピーダンスが高くても駆動素子を支障なく駆動することができる。
【００３８】
また本発明によると、第１信号入力端子は駆動素子のゲートに供給するＬｏｗレベルの入力端子から成るので、ゲートＬｏｗ端子の入力電圧のバラツキを低減して画質の劣化を防止することができる。
【００３９】
また本発明によると、第１〜第４ドライバーＩＣがガラス基板にフェイスダウンボンディング接続されるので、表示装置の小型化をより図ることができる。
【００４０】
また本発明によると、表示部が液晶セルから成るので、小型化された液晶表示装置を得ることができる。
【発明を実施するための最良の形態】
【００４１】
以下に本発明の実施形態を図面を参照して説明する。説明の便宜上、前述の図４に示す従来例と同一の部分は同一の符号を付している。図１は一実施形態の液晶表示装置を示す側面断面図である。液晶表示装置１は液晶表示部２を有している。液晶表示部２はガラス基板３の表示素子領域（不図示）に設けられ、対向配置されるガラス基板３、４の間に液晶７が封入された液晶セルから成っている。ガラス基板３、４の外面には偏光板２５が設けられる。
【００４２】
ガラス基板３上にはＴＦＴから成る駆動素子２１及び画素電極２２がマトリクス状に配列されている。ガラス基板４上には各画素電極２２に対向する対向電極２３が設けられている。これにより、マトリクス状に配列された画素が形成されている。
【００４３】
図２は液晶表示部２の回路図を示している。各駆動素子２１のドレインは液晶７の容量及び保持容量８に接続される。各駆動素子２１のソースは液晶表示部２の一辺に対向して並んで配置された第１〜第４ソース用ドライバーＩＣ（Ｓ１〜Ｓ４）（図３参照）にソースライン１７を介して接続される。各駆動素子２１のゲートはソースライン１７に直交するゲートライン１８を介して、液晶表示部２の一辺に対向して並んで配置された第１〜第４ゲート用ドライバーＩＣ（Ｇ１〜Ｇ４）（図３参照）に接続される。
【００４４】
第１〜第４ゲート用ドライバーＩＣ（Ｇ１〜Ｇ４）から各駆動素子２１のゲートにはＨｉレベルまたはＬｏｗレベルの信号が供給される。第１〜第４ソース用ドライバーＩＣ（Ｓ１〜Ｓ４）から各駆動素子２１のソースには映像信号が供給される。駆動素子２１のゲートがＨｉレベルになることによって駆動素子２１が導通して映像信号が液晶７の容量に書き込まれるようになっている。
【００４５】
図３は液晶表示装置１の平面図を示している。第１〜第４ゲート用ドライバーＩＣ（Ｇ１〜Ｇ４）及び第１〜第４ソース用ドライバーＩＣ（Ｓ１〜Ｓ４）はそれぞれガラス基板３上の第１〜第４ゲートドライバー領域（不図示）及び第１〜第４ソースドライバー領域（不図示）にフェイスダウンボンディング接続されたＣＯＧ方式になっている。第１〜第４ゲート用ドライバーＩＣ（Ｇ１〜Ｇ４）は液晶表示部２に対向して列方向に順に並んで配置される。第１〜第４ソース用ドライバーＩＣ（Ｓ１〜Ｓ４）は液晶表示部２に対向して列方向に直交する方向（以下、「行方向」という）に順に並んで配置される。
【００４６】
第１〜第４ゲート用ドライバーＩＣ（Ｇ１〜Ｇ４）はゲートＨｉ端子１０ａ、１０ｂ、ゲートＬｏｗ端子１１ａ、１１ｂ（第１信号入力端子）、ロジック端子１２ａ、１２ｂ（第３信号入力端子）、信号端子１３（第２信号入力端子）を有している。各端子は第１〜第４ゲート用ドライバーＩＣ（Ｇ１〜Ｇ４）が並ぶ列方向に垂直な中心線に対して対称に配置されている。これにより、第１〜第４ゲート用ドライバーＩＣ（Ｇ１〜Ｇ４）の配置に応じて接続位置を選択することができ、共通のパッケージを用いることができるようになっている。
【００４７】
また、ゲートＨｉ端子１０ａ、１０ｂとゲートＬｏｗ端子１１ａ、１１ｂとは２列に並んでそれぞれ第１〜第４ゲート用ドライバーＩＣ（Ｇ１〜Ｇ４）の両端に配置される。信号端子１３はゲートＬｏｗ端子１１ａ、１１ｂの間に配置される。ロジック端子１２ａ、１２ｂはそれぞれゲートＬｏｗ端子１１ａ、１１ｂと信号端子１３との間に配置される。尚、図が複雑になるため第２〜第４ゲート用ドライバーＩＣ（Ｇ２〜Ｇ４）の各端子の符号を省略するが、第１ゲート用ドライバーＩＣ（Ｇ１）と同じ位置の端子を同じ符号を用いて説明する。
【００４８】
ガラス基板３には、第１〜第４ゲート用ドライバーＩＣ（Ｇ１〜Ｇ４）の所定の端子からガラス基板３の端部に延びる複数の配線１４が形成されている。各配線１４は、ガラス基板３の配線部品領域に取り付けられるＦＰＣ５（配線部品）の所定位置に接続され、ＦＰＣ５には回路基板（不図示）等が接続される。これにより、ＦＰＣ５から所定の信号が各端子に入力される。
【００４９】
隣接する第１ゲート用ドライバーＩＣ（Ｇ１）のゲートＬｏｗ端子１１ｂと第２ゲート用ドライバーＩＣ（Ｇ２）のゲートＬｏｗ端子１１ａには第１バスライン１５が接続される。第１バスライン１５は第１、第２ゲート用ドライバーＩＣ（Ｇ１、Ｇ２）間でＴ字型に分岐してＦＰＣ５に接続される。これにより、ＦＰＣ５から１本の第１バスライン１５によって第１、第２ゲート用ドライバーＩＣ（Ｇ１、Ｇ２）のゲートＬｏｗ端子に接続することができる。
【００５０】
同様に、隣接する第３ゲート用ドライバーＩＣ（Ｇ３）のゲートＬｏｗ端子１１ｂと第４ゲート用ドライバーＩＣ（Ｇ４）のゲートＬｏｗ端子１１ａには第２バスライン１６が接続される。第２バスライン１６は第３、第４ゲート用ドライバーＩＣ（Ｇ３、Ｇ４）間でＴ字型に分岐してＦＰＣ５に接続される。これにより、ＦＰＣ５から１本の第２バスライン１６によって第３、第４ゲート用ドライバーＩＣ（Ｇ３、Ｇ４）のゲートＬｏｗ端子に接続することができる。
【００５１】
第１バスライン１５は第１、第２ゲート用ドライバーＩＣ（Ｇ１、Ｇ２）間の中央の分岐点１５ｂで分岐する。分岐点１５ｂと第１ゲート用ドライバーＩＣ（Ｇ１）のゲートＬｏｗ端子１１ｂとの距離Ｌ１と、分岐点１５ｂと第２ゲート用ドライバーＩＣ（Ｇ２）のゲートＬｏｗ端子１１ａとの距離Ｌ２とは等しくなっている。また、分岐点１５ｂと第１ゲート用ドライバーＩＣ（Ｇ１）のゲートＬｏｗ端子１１ｂとの間の線幅と、分岐点１５ｂと第２ゲート用ドライバーＩＣ（Ｇ２）のゲートＬｏｗ端子１１ａとの間の線幅とは等しくなっている。更に、分岐点１５ｂとＦＰＣ５との距離は距離Ｌ１、Ｌ２と等しくなっている。
【００５２】
同様に、第２バスライン１６の分岐点１６ｂと第３ゲート用ドライバーＩＣ（Ｇ３）のゲートＬｏｗ端子１１ｂとの距離Ｌ３と、分岐点１６ｂと第４ゲート用ドライバーＩＣ（Ｇ４）のゲートＬｏｗ端子１１ａとの距離Ｌ４とは等しくなっている。また、第２バスライン１６の分岐点１６ｂと第３ゲート用ドライバーＩＣ（Ｇ３）のゲートＬｏｗ端子１１ｂとの間の線幅と、分岐点１６ｂと第４ゲート用ドライバーＩＣ（Ｇ４）のゲートＬｏｗ端子１１ａとの間の線幅とは等しくなっている。更に、分岐点１６ｂとＦＰＣ５との距離は距離Ｌ３、Ｌ４と等しくなっている。
【００５３】
第２ゲート用ドライバーＩＣ（Ｇ２）の信号端子１３は配線３１によりＦＰＣ５に接続される。第１ゲート用ドライバーＩＣ（Ｇ１）の信号端子１３は配線３９により第２ゲート用ドライバーＩＣ（Ｇ２）の信号端子１３と接続されている。配線３９は第１、第２ゲート用ドライバーＩＣ（Ｇ１、Ｇ２）の下方及び第１、第２ゲート用ドライバーＩＣ（Ｇ１、Ｇ２）間を通るように形成される。これにより、第１バスライン１５との短絡を防止してＦＰＣ５に接続される配線を削減することができる。
【００５４】
同様に、第２ゲート用ドライバーＩＣ（Ｇ２）のロジック端子１２ｂは配線３３によりＦＰＣ５に接続される。第１ゲート用ドライバーＩＣ（Ｇ１）のロジック端子１２ａは配線３７により第２ゲート用ドライバーＩＣ（Ｇ２）のロジック端子１２ｂと接続されている。配線３７は第１、第２ゲート用ドライバーＩＣ（Ｇ１、Ｇ２）の下方及び第１、第２ゲート用ドライバーＩＣ（Ｇ１、Ｇ２）間を通るように形成される。
【００５５】
更に、第２ゲート用ドライバーＩＣ（Ｇ２）のゲートＨｉ端子１０ｂは配線３５によりＦＰＣ５に接続される。第２ゲート用ドライバーＩＣ（Ｇ２）のゲートＨｉ端子１０ａ、第１ゲート用ドライバーＩＣ（Ｇ１）のゲートＨｉ端子１０ａ、１０ｂは配線４１により第２ゲート用ドライバーＩＣ（Ｇ２）のゲートＨｉ端子１０ｂと接続されている。配線４１は第１、第２ゲート用ドライバーＩＣ（Ｇ１、Ｇ２）の下方及び第１、第２ゲート用ドライバーＩＣ（Ｇ１、Ｇ２）間を通るように形成される。
【００５６】
第３、第４ゲート用ドライバーＩＣ（Ｇ３、Ｇ４）についても同様になっている。即ち、第３ゲート用ドライバーＩＣ（Ｇ３）の信号端子１３、ロジック端子１２ａ、ゲートＨｉ端子１０ａは各配線によりＦＰＣ５に接続される。第４ゲート用ドライバーＩＣ（Ｇ４）の信号端子１３、ロジック端子１２ｂ、ゲートＨｉ端子１０ａ、１０ｂは、それぞれ第３、第４ゲート用ドライバーＩＣ（Ｇ３、Ｇ４）の下方及び第３、第４ゲート用ドライバーＩＣ（Ｇ３、Ｇ４）間を通る配線によって第３ゲート用ドライバーＩＣ（Ｇ３）の信号端子１３、ロジック端子１２ａ、ゲートＨｉ端子１０ａに接続される。
【００５７】
また、第２、第３ゲート用ドライバーＩＣ（Ｇ２、Ｇ３）の間の中央から列方向に垂直な方向に延びた中心線Ｙ１−Ｙ１’に対して、各配線が対称に形成されている。これにより、第１、第２ゲート用ドライバーＩＣ（Ｇ１、Ｇ２）に入力される信号と、第３、第４ゲート用ドライバーＩＣ（Ｇ３、Ｇ４）に入力される信号の大きさが同じになる。従って、表示画面中央での極端な電圧変化を防止して画像の境界の発生を防止することができる。
【００５８】
第１〜第４ソース用ドライバーＩＣ（Ｓ１〜Ｓ４）は第１〜第４ゲート用ドライバーＩＣ（Ｇ１〜Ｇ４）と同様に、ソースＨｉ端子６０ａ、６０ｂ、ソースＬｏｗ端子６１ａ、６１ｂ（第１信号入力端子）、ロジック端子６２ａ、６２ｂ（第３信号入力端子）、信号端子６３（第２信号入力端子）を有している。各端子は第１〜第４ソース用ドライバーＩＣ（Ｓ１〜Ｓ４）が並ぶ行方向に垂直な中心線に対して対称に配置されている。これにより、第１〜第４ソース用ドライバーＩＣ（Ｓ１〜Ｓ４）の配置に応じて接続位置を選択することができ、共通のパッケージを用いることができるようになっている。
【００５９】
また、ソースＨｉ端子６０ａ、６０ｂとソースＬｏｗ端子６１ａ、６１ｂとは２列に並んでそれぞれ第１〜第４ソース用ドライバーＩＣ（Ｓ１〜Ｓ４）の両端に配置される。信号端子６３はソースＬｏｗ端子６１ａ、６１ｂの間に配置される。ロジック端子６２ａ、６２ｂはそれぞれソースＬｏｗ端子６１ａ、６１ｂと信号端子６３との間に配置される。尚、図が複雑になるため第２〜第４ソース用ドライバーＩＣ（Ｓ２〜Ｓ４）の各端子の符号を省略するが、第１ソース用ドライバーＩＣ（Ｓ１）と同じ位置の端子を同じ符号を用いて説明する。
【００６０】
ガラス基板３には、第１〜第４ソース用ドライバーＩＣ（Ｓ１〜Ｓ４）の所定の端子からガラス基板３の端部に延びる複数の配線１４が形成されている。各配線１４はガラス基板３の配線部品領域に取り付けられるＦＰＣ５５（配線部品）の所定位置に接続され、ＦＰＣ５５には回路基板（不図示）等が接続される。これにより、ＦＰＣ５５から所定の信号が各端子に入力される。
【００６１】
隣接する第１ソース用ドライバーＩＣ（Ｓ１）のソースＬｏｗ端子６１ｂと第２ソース用ドライバーＩＣ（Ｓ２）のソースＬｏｗ端子６１ａには第１バスライン６５が接続される。第１バスライン６５は第１、第２ソース用ドライバーＩＣ（Ｓ１、Ｓ２）間でＴ字型に分岐してＦＰＣ５５に接続される。これにより、ＦＰＣ５５から１本の第１バスライン６５によって第１、第２ソース用ドライバーＩＣ（Ｓ１、Ｓ２）のゲートＬｏｗ端子に接続することができる。
【００６２】
同様に、隣接する第３ソース用ドライバーＩＣ（Ｓ３）のソースＬｏｗ端子６１ｂと第４ソース用ドライバーＩＣ（Ｓ４）のソースＬｏｗ端子６１ａには第２バスライン６６が接続される。第２バスライン６６は第３、第４ソース用ドライバーＩＣ（Ｓ３、Ｓ４）間でＴ字型に分岐してＦＰＣ５５に接続される。これにより、ＦＰＣ５５から１本の第２バスライン６６によって第３、第４ソース用ドライバーＩＣ（Ｓ３、Ｓ４）のゲートＬｏｗ端子に接続することができる。
【００６３】
第１バスライン６５は第１、第２ソース用ドライバーＩＣ（Ｓ１、Ｓ２）間の中央の分岐点６５ｂで分岐する。分岐点６５ｂと第１ソース用ドライバーＩＣ（Ｓ１）のソースＬｏｗ端子６１ｂとの距離Ｌ５と、分岐点６５ｂと第２ソース用ドライバーＩＣ（Ｓ２）のソースＬｏｗ端子６１ａとの距離Ｌ６とは等しくなっている。また、分岐点６５ｂと第１ソース用ドライバーＩＣ（Ｓ１）のソースＬｏｗ端子６１ｂとの間の線幅と、分岐点６５ｂと第２ソース用ドライバーＩＣ（Ｓ２）のソースＬｏｗ端子６１ａとの間の線幅とは等しくなっている。更に、分岐点６５ｂとＦＰＣ５５との距離は距離Ｌ５、Ｌ６と等しくなっている。
【００６４】
同様に、第２バスライン６６の分岐点６６ｂと第３ソース用ドライバーＩＣ（Ｓ３）のソースＬｏｗ端子６１ｂとの距離Ｌ７と、分岐点６６ｂと第４ソース用ドライバーＩＣ（Ｓ４）のソースＬｏｗ端子６１ａとの距離Ｌ８とは等しくなっている。また、第２バスライン６６の分岐点６６ｂと第３ソース用ドライバーＩＣ（Ｓ３）のソースＬｏｗ端子６１ｂとの間の線幅と、分岐点６６ｂと第４ソース用ドライバーＩＣ（Ｓ４）のソースＬｏｗ端子６１ａとの間の線幅とは等しくなっている。更に、分岐点６６ｂとＦＰＣ５５との距離は距離Ｌ７、Ｌ８と等しくなっている。
【００６５】
第２ソース用ドライバーＩＣ（Ｓ２）の信号端子６３は配線８１によりＦＰＣ５５に接続される。第１ソース用ドライバーＩＣ（Ｓ１）の信号端子６３は配線８９により第２ソース用ドライバーＩＣ（Ｓ２）の信号端子６３と接続されている。配線８９は第１、第２ソース用ドライバーＩＣ（Ｓ１、Ｓ２）の下方及び第１、第２ソース用ドライバーＩＣ（Ｓ１、Ｓ２）間を通るように形成される。これにより、第１バスライン６５との短絡を防止してＦＰＣ５５に接続される配線を削減することができる。
【００６６】
同様に、第２ソース用ドライバーＩＣ（Ｓ２）のロジック端子６２ｂは配線８３によりＦＰＣ５５に接続される。第１ソース用ドライバーＩＣ（Ｓ１）のロジック端子６２ａは配線８７により第２ソース用ドライバーＩＣ（Ｓ２）のロジック端子６２ｂと接続されている。配線８７は第１、第２ソース用ドライバーＩＣ（Ｓ１、Ｓ２）の下方及び第１、第２ソース用ドライバーＩＣ（Ｓ１、Ｓ２）間を通るように形成される。
【００６７】
更に、第２ソース用ドライバーＩＣ（Ｓ２）のソースＨｉ端子６０ｂは配線８５によりＦＰＣ５５に接続される。第２ソース用ドライバーＩＣ（Ｓ２）のソースＨｉ端子６０ａ、第１ソース用ドライバーＩＣ（Ｓ１）のソースＨｉ端子６０ａ、６０ｂは配線９１により第２ソース用ドライバーＩＣ（Ｓ２）のソースＨｉ端子６０ｂと接続されている。配線９１は第１、第２ソース用ドライバーＩＣ（Ｓ１、Ｓ２）の下方及び第１、第２ソース用ドライバーＩＣ（Ｓ１、Ｓ２）間を通るように形成される。
【００６８】
第３、第４ソース用ドライバーＩＣ（Ｓ３、Ｓ４）についても同様になっている。即ち、第３ソース用ドライバーＩＣ（Ｓ３）の信号端子６３、ロジック端子６２ａ、ソースＨｉ端子６０ａは各配線によりＦＰＣ５５に接続される。第４ソース用ドライバーＩＣ（Ｓ４）の信号端子６３、ロジック端子６２ｂ、ソースＨｉ端子６０ａ、６０ｂは、それぞれ第３、第４ソース用ドライバーＩＣ（Ｓ３、Ｓ４）の下方及び第３、第４ソース用ドライバーＩＣ（Ｓ３、Ｓ４）間を通る配線によって第３ソース用ドライバーＩＣ（Ｓ３）の信号端子６３、ロジック端子６２ａ、ソースＨｉ端子６０ａに接続される。
【００６９】
また、第２、第３ソース用ドライバーＩＣ（Ｓ２、Ｓ３）の間の中央から行方向に垂直な方向に延びた中心線Ｘ１−Ｘ１’に対して、各配線が対称に形成されている。これにより、第１、第２ソース用ドライバーＩＣ（Ｓ１、Ｓ２）に入力される信号と、第３、第４ソース用ドライバーＩＣ（Ｓ３、Ｓ４）に入力される信号の大きさが同じになる。従って、表示画面中央での極端な電圧変化を防止して画像の境界の発生を防止することができる。
【００７０】
上記構成の液晶表示装置１によると、第１、第２バスライン１５、１６及び第１、第２バスライン６５、６６によりゲートＬｏｗ端子及びソースＬｏｗ端子への入力がバスライン化されるので、ＦＰＣ５、５５に接続される配線１４を削減することができる。従って、ＦＰＣ５、５５の幅Ａ、Ｂ（図３参照）を小さくして液晶表示装置１の小型化を図ることができる。
【００７１】
また、距離Ｌ１、Ｌ２が等しいため、ＦＰＣ５と第１ゲート用ドライバーＩＣ（Ｇ１）のゲートＬｏｗ端子１１ｂとの間の電圧降下が、ＦＰＣ５と第２ゲート用ドライバーＩＣ（Ｇ２）のゲートＬｏｗ端子１１ａとの間の電圧降下に等しくなる。従って、第１、第２ゲート用ドライバーＩＣ（Ｇ１、Ｇ２）から出力されるＬｏｗレベルの電圧のバラツキが小さくなり、表示画面の画質が均一化される。
【００７２】
また、距離Ｌ３、Ｌ４が等しいため、ＦＰＣ５と第３ゲート用ドライバーＩＣ（Ｇ３）のゲートＬｏｗ端子１１ｂとの間の電圧降下が、ＦＰＣ５と第４ゲート用ドライバーＩＣ（Ｇ４）のゲートＬｏｗ端子１１ａとの間の電圧降下に等しくなる。従って、第３、第４ゲート用ドライバーＩＣ（Ｇ３、Ｇ４）から出力されるＬｏｗレベルの電圧のバラツキが小さくなり、表示画面の画質が均一化される。
【００７３】
同様に、距離Ｌ５、Ｌ６が等しいため、ＦＰＣ５５と第１ソース用ドライバーＩＣ（Ｓ１）のソースＬｏｗ端子６１ｂとの間の電圧降下が、ＦＰＣ５５と第２ソース用ドライバーＩＣ（Ｓ２）のソースＬｏｗ端子６１ａとの間の電圧降下に等しくなる。従って、第１、第２ソース用ドライバーＩＣ（Ｓ１、Ｓ２）から出力されるＬｏｗレベルの電圧のバラツキが小さくなり、表示画面の画質が均一化される。
【００７４】
また、距離Ｌ７、Ｌ８が等しいため、ＦＰＣ５５と第３ソース用ドライバーＩＣ（Ｓ３）のソースＬｏｗ端子６１ｂとの間の電圧降下が、ＦＰＣ５５と第４ソース用ドライバーＩＣ（Ｓ４）のソースＬｏｗ端子６１ａとの間の電圧降下に等しくなる。従って、第３、第４ソース用ドライバーＩＣ（Ｓ３、Ｓ４）から出力されるＬｏｗレベルの電圧のバラツキが小さくなり、表示画面の画質が均一化される。
【００７５】
また、中心線Ｙ１−Ｙ１’に対して、第１、第２バスライン１５、１６が対称に配置されている。従って、第１〜第４ゲート用ドライバーＩＣ（Ｇ１〜Ｇ４）の各ゲートＬｏｗ端子に入力される電圧の電圧降下が等しくなるため表示画面の画質がより均一化される。同様に、中心線Ｘ１−Ｘ１’に対して、第１、第２バスライン６５、６６が対称に配置されている。従って、第１〜第４ソース用ドライバーＩＣ（Ｓ１〜Ｓ４）の各ソースＬｏｗ端子に入力される電圧の電圧降下が等しくなるため表示画面の画質がより均一化される。この時、ゲートＨｉ端子、ロジック端子、信号端子に比して入力電圧のバラツキに対する画質への影響が大きいゲートＬｏｗ端子への接続をバスライン化することによって画質の劣化を防止することができる。
【００７６】
表１は第１〜第４ゲート用ドライバーＩＣ（Ｇ１〜Ｇ４）のゲートＨｉ端子、ゲートＬｏｗ端子、ロジック端子、信号端子に接続される配線のＦＰＣ５との間の抵抗値（単位：Ω）を測定した結果を示している。これによると、第１、第２バスライン１５、１６によりゲートＬｏｗ端子に接続される配線の抵抗値が均一になっており、ゲートＬｏｗ端子の入力電圧を一定にすることができる。第１〜第４ソース用ドライバーＩＣ（Ｓ１〜Ｓ４）についても同様である。
【００７７】
【表１】
2005301239.tif 000003
【００７８】
また、各端子に入力された信号は各ドライバーＩＣ内で電圧降下する。この時、第１バスライン１５により第１、第２ゲート用ドライバーＩＣ（Ｇ１、Ｇ２）が接続され、第２バスライン１６により第３、第４ゲート用ドライバーＩＣ（Ｇ３、Ｇ４）が接続されるため、画面中央付近では第２、第３ゲート用ドライバーＩＣ（Ｇ２、Ｇ３）内で電圧降下した信号が供給される。しかしながら、第２、第３ゲート用ドライバーＩＣ（Ｇ２、Ｇ３）のゲートＬｏｗ端子の入力電圧が等しいため、画面中央付近で急激な電圧変化が発生しない。このため、画面上の境界線の発生等の画質劣化を防止することができる。
【００７９】
同様に、第１バスライン６５により第１、第２ソース用ドライバーＩＣ（Ｓ１、Ｓ２）が接続され、第２バスライン６６により第３、第４ソース用ドライバーＩＣ（Ｓ３、Ｓ４）が接続されるため、画面中央付近では第２、第３ソース用ドライバーＩＣ（Ｓ２、Ｓ３）内で電圧降下した信号が供給される。しかしながら、第２、第３ソース用ドライバーＩＣ（Ｓ２、Ｓ３）のソースＬｏｗ端子の入力電圧が等しいため、画面中央付近で急激な電圧変化が発生しない。このため、画面上の境界線の発生等の画質劣化を防止することができる。
【００８０】
尚、ゲート用のドライバーＩＣは映像信号を扱わないため、ソース側に比して配線の抵抗値が大きくても液晶表示装置１の動作に支障がない。従って、配線の抵抗値を小さくできる場合には、本実施形態のように、第１〜第４ゲート用ドライバーＩＣ（Ｇ１〜Ｇ４）のゲートＬｏｗ端子を接続する配線及び第１〜第４ソース用ドライバーＩＣ（Ｓ１〜Ｓ４）のソースＬｏｗ端子を接続する配線をバスライン化することができる。配線の材質等により抵抗が大きくなる場合は、第１〜第４ゲート用ドライバーＩＣ（Ｇ１〜Ｇ４）のゲートＬｏｗ端子を接続する配線のみをバスライン化してもよい。
【００８１】
また、第１、第４ゲート用ドライバーＩＣ（Ｇ１、Ｇ４）とＦＰＣ５との接続が第２、第３ゲート用ドライバーＩＣ（Ｇ２、Ｇ３）への接続を介して行われる。第１、第４ソース用ドライバーＩＣ（Ｓ１、Ｓ４）とＦＰＣ５５との接続が第２、第３ソース用ドライバーＩＣ（Ｓ２、Ｓ３）への接続を介して行われる。このため、ＦＰＣ５、５５に接続される配線１４がより削減される。
【００８２】
更に、ＦＰＣ５と第１〜第４ゲート用ドライバーＩＣ（Ｇ１〜Ｇ４）との間の配線１４を第１、第２バスライン１５、１６の内側に形成することができる。ＦＰＣ５５と第１〜第４ソース用ドライバーＩＣ（Ｓ１〜Ｓ４）との間の配線１４を第１、第２バスライン６５、６６の内側に形成することができる。従って、ＦＰＣ５、５５の幅Ａ、Ｂをより小さくして液晶表示装置１の小型化を図ることができる。
【００８３】
この時、第１〜第４ゲート用ドライバーＩＣ（Ｇ１〜Ｇ４）とＦＰＣ５との間には、平面視において第１、第２バスライン１５、１６は列方向に平行な平行部１５ａ、１６ａが設けられ、平行部１５ａ、１６ａが一直線上に配置されている。第１〜第４ソース用ドライバーＩＣ（Ｓ１〜Ｓ４）とＦＰＣ５５との間には、平面視において第１、第２バスライン６５、６６は行方向に平行な平行部６５ａ、６６ａが設けられ、平行部６５ａ、６６ａが一直線上に配置されている。
【００８４】
一方、ＦＰＣ５、５５からゲートＨｉ端子、ロジック端子、信号端子に接続される配線（３１、３３、３５、８１、８３、８５等）は平面視において列方向に対して垂直または傾斜して設けられ、平行な部分を持たない。
【００８５】
このため、第１〜第４ゲート用ドライバーＩＣ（Ｇ１〜Ｇ４）とＦＰＣ５とを接近して配置することができ、液晶表示装置１の小型化を更に図ることができる。また、第１〜第４ソース用ドライバーＩＣ（Ｓ１〜Ｓ４）とＦＰＣ５５とを接近して配置することができ、液晶表示装置１の小型化を更に図ることができる。尚、ＦＰＣ５、５５からゲートＨｉ端子、ロジック端子、信号端子に接続される配線（３１、３３、３５、８１、８３、８５等）のいずれか一つまたは二つを平面視において列方向に対して垂直または傾斜して設けても液晶表示装置１の小型化を図ることができる。
【００８６】
また、第２ゲート用ドライバーＩＣ（Ｇ２）の接続において、第１バスライン１５が接続されるゲートＬｏｗ端子１１ａと配線３１が接続される信号端子１３との距離は、配線３３が接続されるロジック端子１２ｂと信号端子１３との距離よりも広くなっている。これにより、配線３１が中心線Ｙ１−Ｙ１’に近づき、平行部１５ａを有する第１バスライン１５を中心線Ｙ１−Ｙ１’により接近して設けることができる。
【００８７】
第３ゲート用ドライバーＩＣ（Ｇ３）の接続において、平行部１６ａを有する第２バスライン１６を中心線Ｙ１−Ｙ１’により接近して設けることができる。従って、ＦＰＣ５の幅Ａをより小さくすることができ、液晶表示装置１の小型化を図ることができる。
【００８８】
同様に、第２ソース用ドライバーＩＣ（Ｓ２）の接続において、第１バスライン６５が接続されるソースＬｏｗ端子６１ａと配線８１が接続される信号端子６３との距離は、配線８３が接続されるロジック端子６２ｂと信号端子６３との距離よりも広くなっている。これにより、配線８１が中心線Ｘ１−Ｘ１’に近づき、平行部６５ａを有する第１バスライン６５を中心線Ｘ１−Ｘ１’により接近して設けることができる。
【００８９】
第３ソース用ドライバーＩＣ（Ｓ３）の接続において、平行部６６ａを有する第２バスライン６６を中心線Ｘ１−Ｘ１’により接近して設けることができる。従って、ＦＰＣ５５の幅Ｂをより小さくすることができ、液晶表示装置１の小型化を図ることができる。
【００９０】
本実施形態において、ソースラインに接続されるドライバＩＣは４つ設けられているが、同様の構成を行方向に並設してドライバＩＣの数量が４の倍数である液晶表示装置であってもよい。また、液晶表示装置について説明しているが、画素毎に駆動素子を有する有機ＥＬ等を用いた他の表示装置についても同様の構成により同様の効果を得ることができる。
【産業上の利用可能性】
【００９１】
本発明によると、携帯電話機、ノート型コンピュータ、カーナビゲーションシステム等の平面ディスプレイを有する機器に利用することができる。
【図面の簡単な説明】
【００９２】
【図１】本発明の実施形態の液晶表示装置を示す側面断面図である。
【図２】本発明の実施形態の液晶表示装置の液晶表示部を示す回路図である。
【図３】本発明の実施形態の液晶表示装置を示す平面図である。
【図４】従来の液晶表示装置を示す平面図である。
【符号の説明】
【００９３】
１    液晶表示装置
２    液晶表示部
３、４  ガラス基板
５、５５  ＦＰＣ
７    液晶
１０ａ、１０ｂ  ゲートＨｉ端子
１１ａ、１１ｂ  ゲートＬｏｗ端子（第１信号入力端子）
１２ａ、１２ｂ、６２ａ、６２ｂ  ロジック端子（第３信号入力端子）
１３、６３    信号端子（第２信号入力端子）
１４、３１、３３、３５、３７、３９、４１、８１、８３、８５、８７、８９、９１  配線
１５、１６、６５、６６  第１、第２バスライン
１５ａ、１６ａ、６５ａ、６６ａ  平行部
１７    ソースライン
１８    ゲートライン
２１    駆動素子
２２    画素電極
２３    対向電極
６０ａ、６０ｂ  ソースＨｉ端子
６１ａ、６１ｂ  ソースＬｏｗ端子（第１信号入力端子）
Ｇ１〜Ｇ４  第１〜第４ゲート用ドライバーＩＣ
Ｓ１〜Ｓ４  第１〜第４ソース用ドライバーＩＣ
【図１】
2005301239.tif 000004
【図２】
2005301239.tif 000005
【図３】
2005301239.tif 000006
【図４】
2005301239.tif 000007